(57)【要約】【課題】趣向性を与えるために、簡易な構成でありながら、設置後でも外観を変化させることが可能なトレーラーハウス、及び、このトレーラーハウスを複数用いてなる連結トレーラーハウス群トレーラーハウスを提供する。【解決手段】トレーラーハウス１００は、設置場所へ輸送可能又は移動可能な本体１０と、本体１０の一方及び他方の側部に設けられた扉部２０と、を主に備えている。本体１０は、底部に複数の車輪３０が設けられた略直方体の箱状物である。扉部２０は、上部扉２１と、下部扉２２と、を有している。上部扉２１は、上部端部を軸として上部側へ回動可能な板部材であって、開いた際に屋根とすることができるようになっている。部扉２２は、下部端部を軸として回動可能な板部材であって、開いた際に床部とすることができるように略水平に係止又は吊り下げることができるようになっている。【選択図】図１
2018016223.tif 000002
【特許請求の範囲】
【請求項１】
設置場所へ輸送可能又は移動可能な本体と、
前記本体の少なくとも一方の側部に設けられた扉部と、
を備え、
前記扉部が、上部扉と、下部扉と、を有し、
前記上部扉は、上部端部を軸として回動可能な板部材であるものであり、
前記下部扉は、下部端部を軸として回動可能な板部材であることを特徴とするトレーラーハウス。
【請求項２】
前記下部扉が、開いた際に床部となるものであることを特徴とする請求項１に記載のトレーラーハウス。
【請求項３】
前記上部扉が、開いた際に屋根となるものであることを特徴とする請求項１又は２に記載のトレーラーハウス。
【請求項４】
請求項２に記載のトレーラーハウスを２つ以上組み合わせ、開いた前記床部同士を連結することによって形成された通路を有していることを特徴とする連結トレーラーハウス群。
【請求項５】
請求項３に記載のトレーラーハウスを２つ以上組み合わせ、開いた前記上部扉同士を連結して屋根としていることを特徴とする請求項４に記載の連結トレーラーハウス群。
【発明の詳細な説明】
【技術分野】
【０００１】
本発明は、例えば、キャンプ場のキャンピングカー、ファーストフード等の店舗、調理場、カラオケハウス、別荘、ホテル、住居、簡易事務所、勉強部屋、災害用の仮設住宅又は簡易宿泊設備、の他、公共利用又は緊急時に現地へ移動させて即使用が可能となるトレーラーハウス、及び、連結トレーラーハウス群に関する。
【背景技術】
【０００２】
従来から、下記特許文献１に示すように、トレーラーハウスは公知となっている。この特許文献１のトレーラーハウスは、移動用トレーラーの車両周囲を組立てハウスで家屋状に構成可能とするものであって、該移動用トレーラーに予め家屋の外壁部、床部、ベランダ部、天井部等をパネル状に構成しておき、移動用トレーラーを牽引車により所定の場所に移動させた後に現地で家屋状に組立てさせるか、または予め家屋状に構成した既設のトレーラーハウス本体を牽引車により所定の場所に移動させて設置させるかしたことを特徴とするものである。
【先行技術文献】
【特許文献】
【０００３】
【特許文献１】特開平１０−３０５７５１号公報
【発明の開示】
【発明が解決しようとする課題】
【０００４】
上記特許文献１のトレーラーハウスは、上述したように、単にそのまま牽引車に牽引して所定の場所に移動させて設置するだけで、住居空間を移動させただけのものであり、組立後の該トレーラーハウス自体に変化を与えることができるわけではない。したがって、場所を移動して該トレーラーハウスの中から見る外部の風景は変わっても、該トレーラーハウス自体は代わり映えすることはなく、趣向性に乏しい。
【０００５】
そこで、本発明の目的は、趣向性を与えるために、簡易な構成でありながら、設置後でも外観を変化させることが可能なトレーラーハウス、及び、このトレーラーハウスを複数用いてなる連結トレーラーハウス群を提供することである。
【課題を解決するための手段】
【０００６】
（１）  本発明のトレーラーハウスは、設置場所へ輸送可能又は移動可能な本体と、前記本体の少なくとも一方の側部に設けられた扉部と、を備え、前記扉部が、上部扉と、下部扉と、を有し、前記上部扉は、上部端部を軸として回動可能な板部材であるものであり、前記下部扉は、下部端部を軸として下部側へ回動可能な板部材である。
【０００７】
上記（１）の構成のトレーラーハウスは、上部扉が上部端部を軸として回動可能であり、下部扉が下部端部を軸として下部側へ回動可能である。したがって、上部扉だけ又は下部扉だけを開閉することが可能であるし、上部扉及び下部扉の両方を開閉することも可能である。すなわち、上記（１）の構成のトレーラーハウスは、簡易な構成でありながら、設置後でも大きく外観を変化させることが可能なものであり、趣向性を与えることができる。また、扉部を閉じた際には雨戸及び防犯戸などとして使用することができる。
【０００８】
（２）  本発明のトレーラーハウスにおいては、前記下部扉が、開いた際に床部となるものであることが好ましい。
【０００９】
上記（２）の構成によれば、開いた下部扉を縁側として使用することができる。
【００１０】
（３）  上記（１）又は（２）のトレーラーハウスにおいては、前記上部扉が、開いた際に屋根となるものであってもよい。
【００１１】
上記（３）の構成によれば、雨及び日差しなどを遮ることができる。
【００１２】
（４）  他の観点として、本発明の連結トレーラーハウス群は、上記（２）のトレーラーハウスを２つ以上組み合わせ、開いた前記床部同士を連結することによって形成された通路を有しているものである。
【００１３】
上記（４）の構成によれば、トレーラーハウスを連結して通路を形成できるので、例えば、ホテル又は複数の部屋がある家屋のように使用することができる。
【００１４】
（５）  上記（４）の連結トレーラーハウス群においては、上記（３）のトレーラーハウスを２つ以上組み合わせ、開いた前記上部扉同士を連結して屋根としていることが好ましい。
【００１５】
上記（５）の構成によれば、雨及び日差しなどを避けることができる通路を形成できる。
【図面の簡単な説明】
【００１６】
【図１】本発明の第１の実施の形態に係るトレーラーハウスの概略構成を示した斜視図であって、一方の側部の扉部を開いている場合を示す図である。
【図２】図１のトレーラーハウスの一方の側部の扉部を閉じている場合を示す斜視図である。
【図３】図１のトレーラーハウスの他方の側部の扉部を開いている場合を示す斜視図である。
【図４】図１のトレーラーハウスの他方の側部の扉部を閉じている場合を示す斜視図である。
【図５】図１のトレーラーハウスを屋根側から見た図であって、（ａ）が扉部を閉じている場合、（ｂ）が下部扉のみを開いている場合、を示す図である。
【図６】図１のトレーラーハウスを底側から見た図であって、（ａ）が扉部を閉じている場合、（ｂ）が下部扉のみを開いている場合、を示す図である。
【図７】図１のトレーラーハウスを他方の側部から見た図であって、扉部を開いている場合を示す図である。
【図８】図１のトレーラーハウスを他方の側部から見た図であって、扉部を閉じている場合を示す図である。
【図９】図１のトレーラーハウスを一方の側部から見た図であって、扉部を開いている場合を示す図である。
【図１０】図１のトレーラーハウスを一方の側部から見た図であって、扉部を閉じている場合を示す図である。
【図１１】図１のトレーラーハウスを後部から見た図であって、他方の扉部を開いている場合を示す図である。
【図１２】図１のトレーラーハウスを後部から見た図であって、扉部を閉じている場合を示す図である。
【図１３】図１のトレーラーハウスを前部から見た図であって、一方の扉部を開いている場合を示す図である。
【図１４】図１のトレーラーハウスを前部から見た図であって、扉部を閉じている場合を示す図である。
【図１５】図１のトレーラーハウスを複数連結してなる連結トレーラーハウス群の例を示した図である。
【図１６】図１のトレーラーハウスを複数連結してなる連結トレーラーハウス群の他の例を示した図である。
【発明を実施するための形態】
【００１７】
［第１の実施の形態］
本発明の第１の実施の形態を図１〜図１４に基づいて以下に説明する。
【００１８】
トレーラーハウス１００は、設置場所へ輸送可能又は移動可能な本体１０と、本体１０の一方及び他方の側部に設けられた扉部２０と、を主に備えている。
【００１９】
本体１０は、底部に複数の車輪３０が設けられた略直方体の箱状物であり、両側部表面及び後部表面には、複数の長細形状の格子２４が略鉛直方向に並設されている。また、図１３及び図１４に示したように、本体１０の前部には、通常入口となる入口用扉４０が設けられている。また、図示しないが、本体１０の内部には、例えば、居住空間として使用する場合、トイレ、キッチン、寝室等が設けられ、店舗等として使用する場合には、調理スペース等が設けられる。ここで、図８及び図１０においては、説明の便宜上、格子２４を透過するように表現している。
【００２０】
扉部２０は、上部扉２１と、下部扉２２と、を有している。図１１及び図１３に示したように、上部扉２１は、上部端部に取り付けられた蝶番（図示せず）を軸として上部側へ回動可能な板部材であって、開いた際に屋根とすることができるように途中で、係止部材（図示せず）で回動しないように係止又はワイヤーなどの部材（図示せず）で吊り下げることができるようになっている。また、上部扉２１の表面には、複数の長細形状の格子２３が略鉛直方向に並設されている。ここで、図８及び図１０においては、説明の便宜上、格子２３を透過するように表現している。
【００２１】
下部扉２２は、図１１及び図１３に示したように、下部端部に取り付けられた蝶番（図示せず）を軸として回動可能な板部材であって、開いた際に床部とすることができるように略水平に係止部材（図示せず）で回動しないように係止又はワイヤーなどの部材（図示せず）で吊り下げることができるようになっている。また、下部扉２２の表面には、複数の長細形状の格子２３が略鉛直方向に並設されている。
【００２２】
上記構成のトレーラーハウス１００によれば、上部扉２１が上部端部を軸として回動可能であり、下部扉２２が下部端部を軸として下部側へ回動可能である。したがって、上部扉２１だけ又は下部扉２２だけを開閉することが可能であるし、上部扉２１及び下部扉２２の両方を開閉することも可能である。すなわち、上記構成のトレーラーハウス１００は、簡易な構成でありながら、設置後でも大きく外観を変化させることが可能なものであり、趣向性を与えることができる。
【００２３】
また、開いた下部扉２２を縁側等として使用することができるとともに、開いた上部扉２１によって雨又は日差し等を遮ることができる。また、扉部２０を閉じた際には雨戸及び防犯戸などとして使用することができる。
【００２４】
［第２の実施の形態］
次に、本発明の第２の実施の形態に係る連結トレーラーハウス群の例を、図１５及び図１６に基づいて以下に説明する。なお、以下に説明する図１５及び図１６におけるトレーラーハウス１０Ａ〜１０Ｐは、第１の実施の形態のトレーラーハウスと同様であるので、説明を省略する場合がある。
【００２５】
図１５（ａ）に示した連結トレーラーハウス群２００は、トレーラーハウス１０Ａ〜１０Ｃを並列させるとともに、開いた下部扉の先端部同士を連結してなるものである。
【００２６】
図１５（ｂ）に示した連結トレーラーハウス群２０１は、連結トレーラーハウス群２００の変形例であって、トレーラーハウス１０Ｄ〜１０Ｆを斜めに並列させるとともに、開いた下部扉の一方の側部と他方の側部とを連結してなるものである。
【００２７】
図１６（ａ）に示した連結トレーラーハウス群２０２は、連結トレーラーハウス群２００の変形例であって、トレーラーハウス１０Ｇ〜１０Ｉを交互に並列させるとともに、開いた下部扉の一方の側部と他方の側部とを連結してなるものである。
【００２８】
図１６（ｂ）に示した連結トレーラーハウス群２０３は、連結トレーラーハウス群２００の変形例であって、（１）図１６（ａ）に示した連結トレーラーハウス群２０２のようなものとなるように、トレーラーハウス１０Ｋ、１０Ｍ、１０Ｐを並列させるとともに、開いた下部扉の一方の側部と他方の側部とを連結し、（２）図１６（ａ）に示した連結トレーラーハウス群２０２のようなものとなるように、トレーラーハウス１０Ｊ、１０Ｌ、１０Ｎを並列させるとともに、開いた下部扉の一方の側部と他方の側部とを連結し、（３）（１）、（２）で形成された連結トレーラーハウス群をさらに連結してなるものである。
【００２９】
これらの連結トレーラーハウス群２００〜２０３は、トレーラーハウスを連結してトレーラーハウス同士を行き来する通路を形成できるので、例えば、ホテル又は複数の部屋がある家屋のように使用することができる。
【００３０】
なお、これらの連結トレーラーハウス群２００〜２０３のそれぞれについて、開いた上部扉同士を連結して、通路の上に屋根を形成してもよい。これにより、雨及び日差しなどを避けることができる通路を形成できる。
【００３１】
以上、本発明の実施形態について図面に基づいて説明したが、具体的な構成は、これらの実施形態に限定されるものではないと考えられるべきである。本発明の範囲は、上記した実施形態の説明ではなく特許請求の範囲によって示され、さらに特許請求の範囲と均等の意味及び範囲内でのすべての変更が含まれる。例えば、レーラーハウス１００の連結の仕方として、連結トレーラーハウス群２００〜２０３を示したが、トレーラーハウス１００の連結の仕方はこれらに限られない。
【符号の説明】
【００３２】
１０    本体
１０Ａ〜１０Ｐ    トレーラーハウス
２０    扉部
２１    上部扉
２２    下部扉
２３、２４    格子
３０    車輪
４０    入口用扉
１００    トレーラーハウス
２００、２０１、２０２、２０３    連結トレーラーハウス群
【図１】
2018016223.tif 000003
【図２】
2018016223.tif 000004
【図３】
2018016223.tif 000005
【図４】
2018016223.tif 000006
【図５】
2018016223.tif 000007
【図６】
2018016223.tif 000008
【図７】
2018016223.tif 000009
【図８】
2018016223.tif 000010
【図９】
2018016223.tif 000011
【図１０】
2018016223.tif 000012
【図１１】
2018016223.tif 000013
【図１２】
2018016223.tif 000014
【図１３】
2018016223.tif 000015
【図１４】
2018016223.tif 000016
【図１５】
2018016223.tif 000017
【図１６】
2018016223.tif 000018